(57)【要約】【課題】  携帯電話本体の中にある内部記憶部の容量の増加を抑えてメールデータの保存を可能とする携帯電話及びメール保存方法を提供する。【解決手段】  外部記憶手段を有し、且つ電子メールの作成及び送受信を行うことができる携帯電話であって、携帯電話内部に存在する内部記憶手段に保存されている電子メールを、送信または受信してから指定した日数経過後、またはユーザが指定した時間に外部記憶手段へ移動させる制御手段を有する。【選択図】  図１
2005100129.tif 000002
【特許請求の範囲】
【請求項１】
外部記憶手段を有し、且つ電子メールの作成及び送受信を行うことができる携帯電話であって、
前記携帯電話内部に存在する内部記憶手段に保存されている電子メールを、送信または受信してから指定された日数経過後、前記外部記憶手段へ移動させる制御手段を有することを特徴とする携帯電話。
【請求項２】
外部記憶手段を有し、且つ電子メールの作成及び送受信を行うことができる携帯電話であって、
前記携帯電話内部に存在する内部記憶手段に保存されている電子メールを、送信または受信してから指定した日数経過後、前記外部記憶手段へ移動させ、さらに、前記内部記憶手段に保存されている前記電子メールの一覧表示中は前記外部記憶手段へ移動した移動済メールを表示せず、あらかじめ決められた操作手段の操作によって前記移動済メール一覧を表示させる制御手段を有することを特徴とする携帯電話。
【請求項３】
外部記憶手段を有し、且つ電子メールの作成及び送受信を行うことができる携帯電話であって、
前記携帯電話内部に存在する内部記憶手段に保存されている電子メールを、指定された時間に前記外部記憶手段へ移動させる制御手段を有することを特徴とする携帯電話。
【請求項４】
外部記憶手段を有し、且つ電子メールの作成及び送受信を行うことができる携帯電話であって、
前記携帯電話内部に存在する内部記憶手段に保存されている電子メールを、指定された時間に前記外部記憶手段へ移動させ、さらに、前記内部記憶手段に保存されている前記電子メールの一覧表示中は前記外部記憶手段へ移動した移動済メールを表示せず、あらかじめ決められた操作手段の操作によって前記移動済メール一覧を表示させる制御手段を有することを特徴とする携帯電話。
【請求項５】
前記制御手段は、ユーザの操作によって設定された時のみ前記電子メールの前記外部記憶手段への移動を行うことを特徴とする請求項１から４のいずれか１項に記載の携帯電話。
【請求項６】
前記制御手段は、前記内部記憶手段の空き容量が所定の値を下回った場合に前記電子メールの前記外部記憶手段への移動を行うことを特徴とする請求項１から５のいずれか１項に記載の携帯電話。
【請求項７】
前記制御手段は、前記内部記憶手段に保存されている受信メール件数が、所定の件数を上回った場合に前記電子メールの前記外部記憶手段への移動を行うことを特徴とする請求項１から６のいずれか１項に記載の携帯電話。
【請求項８】
電子メールを保存する外部記憶手段及び内部記憶手段を有し、且つ電子メールの作成及び送受信を行うことができる携帯電話のメール保存方法であって、
前記内部記憶手段に保存されている電子メールを、送信または受信してから指定された日数経過後、前記外部記憶手段へ移動させる移動設定がされているかを判断し、
前記移動設定がある場合、前記内部記憶手段の空き容量が所定の値以下であるかどうかを判断し、
前記空き容量が前記所定の値以下の場合、受信メールを前記外部記憶手段に移動させ、また、受信メール件数が、所定の件数以上であるかどうかを判断し、
前記所定の件数以上の場合、前記受信メールを前記外部記憶手段に移動させることを特徴とするメール保存方法。
【請求項９】
前記内部記憶手段に保存されている前記電子メールを、指定された時間に前記外部記憶手段へ移動させることを特徴とする請求項８記載のメール保存方法。
【請求項１０】
携帯電話内部に存在する内部記憶手段に保存されている電子メールを、送信または受信してから指定された日数経過後、外部記憶手段へ移動させ、さらに、前記内部記憶手段に保存されている前記電子メールの一覧表示中は前記外部記憶手段へ移動した移動済メールを表示せず、あらかじめ決められた操作手段の操作によって前記移動済メール一覧を表示することを特徴とするメール保存方法。
【請求項１１】
携帯電話内部に存在する内部記憶手段に保存されている電子メールを、指定した時間に外部記憶手段へ移動させ、さらに、前記内部記憶手段に保存されている前記電子メールの一覧表示中は前記外部記憶手段へ移動した移動済メールを表示せず、あらかじめ決められた操作手段の操作によって前記移動済メール一覧を表示することを特徴とするメール保存方法。
【発明の詳細な説明】
【技術分野】
【０００１】
本発明は、携帯端末に関し、特に電子メールの外部記憶手段へのデータ保存手段を有する携帯電話及びメール保存方法に関する。
【背景技術】
【０００２】
従来の携帯電話において電子メールを送受信すると、本体内に搭載された内部記憶部へメールデータが保存される。このメールデータを、操作部を操作して表示部へ呼び出すことでユーザはいつでも内容を確認することができる。このメールには、文字メッセージだけではなくメロディデータや写真データ等を含むものも存在するため、削除等の操作をしないとメールデータは増加する一方である。いったん内部記憶部のデータ保存領域の空きが無くなると、保存されている中の最も古いメールデータから自動で削除して空きを増やしてから最新のメールデータを保存することができるようになっている。ここで、削除して欲しくないメールデータについては保護を行うことで削除できないようにすることができる。また、外部記憶部を接続可能な携帯電話では、ユーザが外部記憶部へ移動または複写の操作を行うことで、選択されたメールやデータを保存することができる。外部記憶部内のデータを確認したい場合は、内部記憶部のデータとは別に扱った上でデータを表示させることができる。一方、近年の携帯電話は着信メロディやゲーム等のアプリケーションを搭載またはダウンロードすることができるようになり、ますますメモリの消費量が増加の一途を辿っているため、携帯電話内部だけでなく接続部を介してユーザが着脱自在なメモリを接続することにより、多くのユーザデータエリアを確保するようになっている。
【０００３】
従来技術例として、携帯電話内部に実装された読み書き可能な記憶手段のみに情報を記憶するだけでなく、着脱可能な記憶手段へも記憶可能とし、それぞれの記憶手段間で相互に情報を移動させたり、情報を一覧表示させた時にはいずれに保存されているかを表示手段に情報毎に保存先を表示させたりすることを可能とする「外部記憶媒体接続部付き携帯電話」がある（例えば、特許文献１参照）。
【特許文献１】特開２００２−１６４９６４号公報
【発明の開示】
【発明が解決しようとする課題】
【０００４】
第１の課題として、メールを受信した際に内部記憶部の空きが無い場合、保護されていない保存されているメールデータがユーザの了解無く削除されてしまうことがあった。
第２の課題として、もし削除されたくないメール件数が増えると、内部記憶部に保存可能な新規受信メールの件数は減少し、利用の多いユーザの場合には未読のまま削除されてしまう危険性があった。
第３の課題として、外部記憶部を利用可能な携帯電話において、外部記憶部へのメールの移動は毎回ユーザが操作を行わなければならないという煩雑さがあった。
第４の課題として、外部記憶手段または内部記憶部のいずれに保存されているか不明である場合、ユーザはそれぞれの記憶部別にメールを捜索しなければならないという煩雑さがあった。
【０００５】
一方、上記特許文献１記載の発明は、内部メモリに保存されている電子メールをユーザが任意に選択し、選択したメールを外部メモリに移動させるものであり、メールを移動させる際にはいくつかのユーザ操作を必要とするのでユーザにとって手間がかかる。
【０００６】
本発明は、上記事情に鑑みてなされたものであり、外部記憶部への自動保存を可能とすることにより、携帯電話本体の中にある内部記憶部の容量の増加を抑えてメールデータの保存を可能とし、前記課題を解決する携帯電話及びメール保存方法を提供することを目的とする。
【課題を解決するための手段】
【０００７】
かかる目的を達成するために、本発明は、外部記憶手段を有し、且つ電子メールの作成及び送受信を行うことができる携帯電話であって、携帯電話内部に存在する内部記憶手段に保存されている電子メールを、送信または受信してから指定された日数経過後、外部記憶手段へ移動させる制御手段を有することを特徴とする。
【０００８】
また、本発明は、外部記憶手段を有し、且つ電子メールの作成及び送受信を行うことができる携帯電話であって、携帯電話内部に存在する内部記憶手段に保存されている電子メールを、送信または受信してから指定した日数経過後、外部記憶手段へ移動させ、さらに、内部記憶手段に保存されている電子メールの一覧表示中は外部記憶手段へ移動した移動済メールを表示せず、あらかじめ決められた操作手段の操作によって移動済メール一覧を表示させる制御手段を有することを特徴とする。
【０００９】
また、本発明は、外部記憶手段を有し、且つ電子メールの作成及び送受信を行うことができる携帯電話であって、携帯電話内部に存在する内部記憶手段に保存されている電子メールを、指定された時間に外部記憶手段へ移動させる制御手段を有することを特徴とする。
【００１０】
また、本発明は、外部記憶手段を有し、且つ電子メールの作成及び送受信を行うことができる携帯電話であって、携帯電話内部に存在する内部記憶手段に保存されている電子メールを、指定された時間に外部記憶手段へ移動させ、さらに、内部記憶手段に保存されている電子メールの一覧表示中は外部記憶手段へ移動した移動済メールを表示せず、あらかじめ決められた操作手段の操作によって移動済メール一覧を表示させる制御手段を有することを特徴とする。
【００１１】
また、本発明は、制御手段は、ユーザの操作によって設定された時のみ電子メールの外部記憶手段への移動を行うことを特徴とする。
【００１２】
また、本発明は、制御手段は、内部記憶手段の空き容量が所定の値を下回った場合に電子メールの外部記憶手段への移動を行うことを特徴とする。
【００１３】
また、本発明は、制御手段は、内部記憶手段に保存されている受信メール件数が、所定の件数を上回った場合に電子メールの外部記憶手段への移動を行うことを特徴とする。
【００１４】
また、本発明は、電子メールを保存する外部記憶手段及び内部記憶手段を有し、且つ電子メールの作成及び送受信を行うことができる携帯電話のメール保存方法であって、内部記憶手段に保存されている電子メールを、送信または受信してから指定された日数経過後、外部記憶手段へ移動させる移動設定がされているかを判断し、移動設定がある場合、内部記憶手段の空き容量が所定の値以下であるかどうかを判断し、空き容量が所定の値以下の場合、受信メールを外部記憶手段に移動させ、また、受信メール件数が所定の件数以上かどうかを判断し、所定の件数以上の場合、受信メールを外部記憶手段に移動させることを特徴とする。
【００１５】
また、本発明は、内部記憶手段に保存されている電子メールを、指定された時間に外部記憶手段へ移動させることを特徴とする。
【００１６】
また、本発明は、携帯電話内部に存在する内部記憶手段に保存されている電子メールを、送信または受信してから指定された日数経過後、外部記憶手段へ移動させ、さらに、内部記憶手段に保存されている電子メールの一覧表示中は外部記憶手段へ移動した移動済メールを表示せず、あらかじめ決められた操作手段の操作によって移動済メール一覧を表示することを特徴とする。
【００１７】
また、本発明は、携帯電話内部に存在する内部記憶手段に保存されている電子メールを、指定した時間に外部記憶手段へ移動させ、さらに、内部記憶手段に保存されている電子メールの一覧表示中は外部記憶手段へ移動した移動済メールを表示せず、あらかじめ決められた操作手段の操作によって移動済メール一覧を表示することを特徴とする。
【００１８】
以上のように、本発明は、電子メールの作成・送受信を行うことができる携帯電話であり、接続部を介して携帯電話と電気的に着脱可能な外部記憶部を持ち、且つ、携帯電話内部に存在する記憶部に保存されているメールを、請求項１に記載される携帯電話では送信または受信してから指定した日数経過後、自動的に外部記憶部へ移動させることができる制御部を持っている。また、請求項３に記載の携帯電話では、指定した時刻になると自動的に外部記憶部へ移動させる機能のある制御部を持っている。さらに、請求項２と４に記載の携帯電話では請求項１と２の機能に加え、内部記憶部のメール一覧表示中に外部記憶部へ移動したメールを表示していない場合に、あらかじめ決められた操作部の操作を行うことで内部記憶部メール一覧と合わせて表示させることができる制御部を持っている。
【発明の効果】
【００１９】
本発明によれば、携帯電話本体内の記憶部に保存されているメールを、経過日または指定時刻になったら外部記憶部へ自動的に移動させることが可能となるので、ユーザは移動条件を設定するだけで意図しないメールの削除を回避することができる。
また、内部記憶部内のメールデータを表示中に、外部記憶部のメールデータも合わせて表示させることができるようになるので、いずれの記憶部に保存されていても容易に検索／削除等を行うことが可能となる。
また、メールを受信した際に内部記憶部の空きが無い場合、保護されていない保存されているメールデータがユーザの了解無く削除されにくくすることができる。
また、もし削除されたくないメール件数が増えた場合等においても、内部記憶部のメールデータを外部記憶部へ逐次移動するので、内部記憶部の保存可能な新規受信メールの件数は減少することが無くなり、利用の多いユーザの場合でも未読のまま削除されてしまう危険性が大きく減少される。
また、外部記憶部を利用可能な携帯電話において、一度設定を行えば外部記憶部への自動でメールの移動が可能なので、毎回ユーザが操作を行わなければならないという煩雑さが無くなる。
また、外部記憶手段または内部記憶部のいずれに保存されているか不明である場合であっても、予め決められた操作部の操作により外部記憶部内のデータを加えたメールリストを表示することができるので、ユーザはそれぞれの記憶部別にメールを捜索しなければならないという煩雑さが無くなる。
【発明を実施するための最良の形態】
【００２０】
以下、本発明を実施するための最良の形態について添付図面を参照して詳細に説明する。
【００２１】
次に、本発明の実施の形態について図面を参照して詳細に説明する。
図１は、本発明の実施形態である携帯電話機の概略構成ブロック図である。この携帯電話機１は、アンテナ１２、無線部２、制御部７、内部記憶部８、接続部９、外部記憶部１１、操作部１０、報知部４、表示部３、マイク５およびレシーバ６により構成されている。アンテナ１２は、無線部２に接続されている。また、無線部２、内部記憶部８、操作部１０、報知部４、表示部３、マイク５およびレシーバ６は、全て制御部７に接続され、外部記憶部１１は接続部９を介して制御部７に接続されている。
【００２２】
携帯電話機１の各構成要素の主要機能を説明すると、アンテナ１２は、基地局（図示せず）から送信される約１ＧＨｚ程度のマイクロ波である通信電波を受信すると共に基地局に対して通信電波を送信する。無線部２は、アンテナを介して送信および受信を行う。制御部７は、携帯電話機の全体処理制御を行うものであって、好ましくはマイクロプロセッサ又はマイコンにより構成される。報知部４は、着呼の場合にユーザに対してビープ音又はバイブレータ振動等により報知する。マイク５およびレシーバ６は、ユーザが着呼に応答したときに音声通信を行う。内部記憶部８は、受信メール情報を保存・記憶する。操作部１０は、ユーザが相手と通話するとき、相手の電話番号の入力、電子メール送受信時の操作等を行う。表示部３は、携帯電話機の通話する際の電話番号および送受信した電子メールデータ等をユーザによる操作部１０の操作に応じて表示するため、例えば液晶表示パネル等により構成される。接続部９を介して接続されている外部記憶部１１は、内部記憶部８と同じデータを保存することができ、内部記憶部８の補助的な役割を果たす。接続部９を介しているため着脱が自在であり、他の電子機器へデータを複写・移動させることが容易な構成となっている。
【００２３】
本発明における特徴部分を説明する。第１の特徴として、外部記憶部１１を接続部９へ装着している場合において、携帯電話内部に存在する内部記憶部８に保存されているメールを、指定した日数経過後に外部記憶部１１へ移動を行う機能を有する制御部を持つところにある。
第２の特徴として、外部記憶部１１を接続部９へ装着している場合において、携帯電話内部に存在する内部記憶部８に保存されているメールを、指定した時刻に自動的に外部記憶部１１へ移動させる機能を有する制御部７を持つところにある。
第３の特徴として、外部記憶部を接続部へ装着している場合において、携帯電話内部に存在する内部記憶部８に保存されているメールを指定した日数経過後、自動的に外部記憶部１１へ移動させる機能を持ち、さらに、内部記憶部８のメール一覧表示中に予め決められた操作部１０の操作を行うことによりメール一覧へ外部記憶部内１１のメールデータを合わせて表示させる機能を有する制御部７を持つところにある。
第４の特徴として、外部記憶部１１を接続部９へ装着している場合において、携帯電話内部に存在する内部記憶部８に保存されているメールを指定した時刻に自動的に外部記憶部１１へ移動させる機能を持ち、さらに、内部記憶部８のメール一覧表示中に予め決められた操作部の操作を行うことによりメール一覧へ外部記憶部１１内のメールデータを合わせて表示させる機能を有する制御部７を持つところにある。
【実施例１】
【００２４】
次に、本発明における実施例１について図２及び図３を参照して説明する。
外部記憶部１１が接続部９を介して接続されている状態において（Ｓ１１）、予め決められた操作部１０の操作を行うと、メールメニューが表示される（Ｓ１２）。図３（ａ）に示すように、メールメニュー表示画面は、受信メール、送信メール、新規等の選択が可能となっている。ここで受信メールを選択すると図３（ｂ）に示す受信フォルダ一覧画面が表示される（Ｓ１３）。ここで、外部記憶部へ移動設定を行うフォルダへカーソルを移動させてから予め決められた操作部の操作を行うと、図３（ｃ）に示す受信フォルダメニュー画面が表示される（Ｓ１５）。ここでは、フォルダの追加、フォルダ名編集、既読メールの削除等の項目があり、その中から外部移動設定を選択すると、図３（ｄ）に示す外部記憶部へ移動させる条件を入力する画面となる。ここで、例えば、自動移動ｏｎ／ｏｆｆ設定をｏｎ、経過日に例えば１０日を設定すると（Ｓ１６）、受信してから１０日経過したメールを自動的に外部記憶部へ移動させることができるようになる。この機能を設定すると、内部記憶部の中に保存されているメールが自動的に外部記憶部へ移動されるようになるので、１日に受信するメール数が突然極端に増加しない限りはメール保存領域が無くなることは無いので、ユーザの意図しないメールの削除は発生しなくなる。
もし１日当たりの受信メール数が増加し、内部記憶部の残容量が少なくなるような場合は、設定する経過日数を小さい値に変更すれば解決することができる。
【００２５】
次に、制御部７が行う外部記憶部（メモリ）移動設定の処理動作について図４を参照して説明する。
まず、携帯電話機１において、ユーザによって操作部から受信メールの外部メモリ移動設定がされているかを判断する（Ｓ２１）。設定がある場合（Ｓ２１／ＹＥＳ）、内部記憶部の空き容量が５０％を切っているかどうかを判断し（Ｓ２２）、空き容量が５０％以下の場合（Ｓ２２／ＹＥＳ）、受信メールを外部記憶部に移動させる（Ｓ２４）。空き容量が５０％以上の場合（Ｓ２２／ＮＯ）、受信メールが所定の件数を上回っているかを判断する。例えば、現在受信できる受信可能メール件数が、内部記憶手段の保存できる限度である、受信メール最大保存件数の５０％を切っているか（例えば、最大保存件数が２００件の携帯電話の場合、現在受信可能なメール件数が１００件以下になっているかどうか）を判断し（Ｓ２３）、５０％以下の場合（Ｓ２３／ＹＥＳ）、受信メールを外部記憶部に移動させる（Ｓ２４）。
なお、ここでは制御部の判断数値をそれぞれ５０％としたが、判断数値の設定及び変更は任意に可能とする。
【００２６】
ここで、上述した自動メール移動設定を行った後に受信メール一覧を表示しているとき（図３（ｅ）参照）、外部記憶部へ移動したメールは一覧の中には表示されないが、もしも閲覧する必要が生じた際には、メール一覧表示中に予め決められた操作部の操作を行うことによって受信メールメニューを表示させ（図３（ｆ）参照）、その中から外部メモリも表示を選択すると、本体内部記憶部と外部記憶部との両方の受信メール一覧が表示され、外部記憶部のメールも確認することができる様になる。
【実施例２】
【００２７】
上述した実施例１は、受信してからの経過時間による移動であるが、定期的に行う方法として時間設定による方法も考えられる。この場合は、前述した受信フォルダメニューにおいて外部移動設定を選択した際、移動設定条件として時刻設定とすることで実現する事ができる。他にも、上述したように受信メール数が所定以上になったら移動させるということもできる。
また、メールメニューに全メールを外部記憶部へ移動させる項目を作成すれば、全メールのバックアップをすることが可能となり、携帯電話を変更する際のメールの移動が容易に行うことも可能である。
【００２８】
以上、本発明の実施例について携帯電話を用いて説明したが、メール送受信を行える端末であれば適用可能であり、また、本実施例の構成についても、上記実施例に限定されるものではなく、その要旨を逸脱しない範囲において種々の変形が可能である。
【図面の簡単な説明】
【００２９】
【図１】本発明の実施例である携帯電話機の内部構成を示すブロック図である。
【図２】本発明の実施例の処理動作を示すフローチャートである。
【図３】本発明の実施例である携帯電話機の表示画面を示す外観図である。
【図４】本発明の実施例の処理動作を示すフローチャートである。
【符号の説明】
【００３０】
１    携帯電話機
２    無線部
３    表示部
４    報知部
５    マイク
６    レシーバ
７    制御部
８    内部記憶部
９    接続部
１０    操作部
１１    外部記憶部
１２    アンテナ
【図１】
2005100129.tif 000003
【図２】
2005100129.tif 000004
【図３】
2005100129.tif 000005
【図４】
2005100129.tif 000006